(57)【要約】【課題】１系端末装置と２系端末装置を確実に選別して立ち上げ、かつ端末番号設定が誤っている場合に、その誤りを確実に検出して端末装置を立ち上げずに安全側に移行する。【解決手段】端末選択部４の第１のスイッチＳＷ４１と第３のスイッチＳＷ５１を同じに設定し、第２のスイッチＳＷ４２と第４のスイッチＳＷ５２を同じに設定し、１系端末装置２を立ち上げるときは、１系端末装置２と１系端末装置３の各ＣＰＵ２１，３１の第１の設定入力回路に正論理の設定入力信号を入力し、ＣＰＵ２１，３１の第２の設定入力回路に負論理の設定入力信号を入力する。２系端末装置３を立ち上げるときは、ＣＰＵ２１，３１の第１の設定入力回路に負論理の設定入力信号を入力し、ＣＰＵ２１，３１の第２の設定入力回路に正論理の設定入力信号を入力する。【選択図】    図１
2008213798.tif 000002
【特許請求の範囲】
【請求項１】
１系端末装置と２系端末装置及び端末選択手段を有し、
前記１系端末装置と２系端末装置は、それぞれＣＰＵと、該ＣＰＵから出力する正論理の照査出力信号を出力する正論理出力回路と負論理の照査出力信号を出力する負論理出力回路と、前記ＣＰＵに設定入力信号を入力する第１の設定入力回路と第２の設定入力回路を有し、
前記端末選択手段は、第１の切替手段と第２の切替手段を有し、前記第１の切替手段は２極の第１のスイッチと２極の第２のスイッチを有し、前記第２の切替手段は２極の第３のスイッチと２極の第４のスイッチを有し、
前記第１の切替手段に有する第１のスイッチの復旧接点は、前記１系端末装置の正論理出力回路から出力する１系照査出力信号を前記１系端末装置の第１の設定入力回路に入力し、第１のスイッチの動作接点は、前記２系端末装置の負論理出力回路から出力する２系照査出力信号を前記２系端末装置の第１の設定入力回路に入力し、前記第１の切替手段に有する第２のスイッチの復旧接点は、前記１系端末装置の正論理出力回路から出力する１系照査出力信号を前記１系端末装置の第２の設定入力回路に入力し、前記第２のスイッチの動作接点は前記２系端末装置の負論理出力回路から出力する２系照査出力信号を前記２系端末装置の第２の設定入力回路に入力し、
前記第２の切替手段に有する第３のスイッチの復旧接点は、前記２系端末装置の正論理出力回路から出力する２系照査出力信号を前記２系端末装置の第１の設定入力回路に入力し、前記第３のスイッチの動作接点は、前記１系端末装置の負論理出力回路から出力する１系照査出力信号を前記１系端末装置の第１の設定入力回路に入力し、前記第２の切替手段に有する第４のスイッチの復旧接点は、前記２系端末装置の正論理出力回路から出力する２系照査出力信号を前記２系端末装置の第２の設定入力回路に入力し、前記第４のスイッチの動作接点は、前記１系端末装置の負論理出力回路から出力する２系照査出力信号を前記１系端末装置の第２の設定入力回路に入力することを特徴とする２重系端末装置。
【発明の詳細な説明】
【技術分野】
【０００１】
この発明は、転てつ機や信号機などの制御と操作に一定の順序と制限を加える電子連動装置や閉そく装置等の２重系端末装置、特に立上げ時の誤設定の防止に関するものである。
【背景技術】
【０００２】
例えば電子連動装置は、システムの安全性と信頼性を向上するため、特許文献１や特許文献２に示すように、主系と従系の２重系構成の端末装置を採用している。このような２重系構成においては主系の端末装置と従系の端末装置のそれぞれに立上げ用の設定スイッチを設け、各設定スイッチに個別の端末番号を割り当てている。そして主系の端末装置を立上げるときは、主系の設定スイッチの設定により割り当てられた端末番号を認識し、認識した端末番号に応じて転てつ機や信号機などを制御している。また、従系の端末装置を立上げるときは、従系の設定スイッチの設定により割り当てられた端末番号を認識し、認識した端末番号に応じて転てつ機や信号機などを制御している。
【特許文献１】特開平７−１３２８２６号公報
【特許文献２】特開２００１−５７４１号公報
【発明の開示】
【発明が解決しようとする課題】
【０００３】
前記のように主系と従系のそれぞれの設定スイッチに個別の端末番号を割り当てて主系と従系の端末装置のいずれかを立上げていると、主系と従系の設定スイッチに割り当てた端末番号が誤って設定されている場合、主系と従系が違う端末番号を認識してしまい、誤った転てつ機や信号機等を制御してしまうという問題があった。
【０００４】
この発明は、このような問題を解消し、端末番号の設定が誤っている場合に、その誤りを確実に検出して端末装置を立上げずに安全側に移行することができる２重系端末装置を提供することを目的とするものである。
【課題を解決するための手段】
【０００５】
この発明の２重系端末装置は、１系端末装置と２系端末装置及び端末選択手段を有し、前記１系端末装置と２系端末装置は、それぞれＣＰＵと、該ＣＰＵから出力する正論理の照査出力信号を出力する正論理出力回路と負論理の照査出力信号を出力する負論理出力回路と、前記ＣＰＵに設定入力信号を入力する第１の設定入力回路と第２の設定入力回路を有し、
前記端末選択手段は、第１の切替手段と第２の切替手段を有し、前記第１の切替手段は２極の第１のスイッチと２極の第２のスイッチを有し、前記第２の切替手段は２極の第３のスイッチと２極の第４のスイッチを有し、
前記第１の切替手段に有する第１のスイッチの復旧接点は、前記１系端末装置の正論理出力回路から出力する１系照査出力信号を前記１系端末装置の第１の設定入力回路に入力し、第１のスイッチの動作接点は、前記２系端末装置の負論理出力回路から出力する２系照査出力信号を前記２系端末装置の第１の設定入力回路に入力し、前記第１の切替手段に有する第２のスイッチの復旧接点は、前記１系端末装置の正論理出力回路から出力する１系照査出力信号を前記１系端末装置の第２の設定入力回路に入力し、前記第２のスイッチの動作接点は前記２系端末装置の負論理出力回路から出力する２系照査出力信号を前記２系端末装置の第２の設定入力回路に入力し、
前記第２の切替手段に有する第３のスイッチの復旧接点は、前記２系端末装置の正論理出力回路から出力する２系照査出力信号を前記２系端末装置の第１の設定入力回路に入力し、前記第３のスイッチの動作接点は、前記１系端末装置の負論理出力回路から出力する１系照査出力信号を前記１系端末装置の第１の設定入力回路に入力し、前記第２の切替手段に有する第４のスイッチの復旧接点は、前記２系端末装置の正論理出力回路から出力する２系照査出力信号を前記２系端末装置の第２の設定入力回路に入力し、前記第４のスイッチの動作接点は、前記１系端末装置の負論理出力回路から出力する２系照査出力信号を前記１系端末装置の第２の設定入力回路に入力することを特徴とする。
【発明の効果】
【０００６】
この発明は、端末選択手段の第１の切替手段に有する第１のスイッチと第２の切替手段に有する第３のスイッチを同じに設定し、第１の切替手段に有する第２のスイッチと第２の切替手段に有する第４のスイッチを同じに設定し、１系端末装置を立ち上げるときは、１系端末装置と２系端末装置の第１の設定入力回路に正論理の設定入力信号を入力し、１系端末装置と２系端末装置の第２の設定入力回路に負論理の設定入力信号を入力し、２系端末装置を立ち上げるときは、１系端末装置と２系端末装置の第１の設定入力回路に負論理の設定入力信号を入力し、１系端末装置と２系端末装置の第２の設定入力回路に正論理の設定入力信号を入力することにより、１系端末装置と２系端末装置を確実に選別して立ち上げることができる。
【０００７】
また、第１の切替手段と第２の切替手段の設定に異常がある場合は、１系端末装置と２系端末装置に正論理と負論理の設定入力信号のいずれか又は全てを入力しないから、端末選択手段の設定異常を確実に検出して安全側に制御することができる。
【発明を実施するための最良の形態】
【０００８】
図１は、この発明の２重系端末装置の構成を示すブロック図である。図に示すように、２重系端末装置１は、１系端末装置２と２系端末装置３及び端末選択部４を有する。１系端末装置２はＣＰＵ２１と、照査出力回路として正論理出力回路２２とインバータ２３と、照査入力回路として２組のバッファ２４，２５を有し、２系端末装置３もＣＰＵ３１と、照査出力回路として正論理出力回路３２とインバータ３３と、照査入力回路として２組のバッファ３４，３５を有する。
【０００９】
端末選択部４は第１の切替手段４０と第２の切替手段５０を有する。第１の切替手段４０は２極のスイッチ４１とスイッチ４２を有し、第２の切替手段５０も２極のスイッチ５１とスイッチ５２を有する。第１の切替手段４０に有するスイッチ４１の復旧接点は１系端末装置２の正論理出力回路２２から出力される１系照査出力信号Ｓ１を１系端末装置２のバッファ２４に１系設定入力信号１として入力する。スイッチ４１の動作接点は２系端末装置３のインバータ３３から出力する負論理の２系照査出力信号Ｓ２／を２系端末装置３のバッファ３４に２系設定入力信号１として入力する。第１の切替手段４０に有するスイッチ４２の復旧接点は１系照査出力信号Ｓ１を１系端末装置２のバッファ２５に１系設定入力信号２として入力する。スイッチ４２の動作接点は２系端末装置３のインバータ３３から出力する負論理の２系照査出力信号Ｓ２／を２系端末装置３のバッファ３５に２系設定入力信号２として入力する。第２の切替手段５０に有するスイッチ５１の復旧接点は２系端末装置３の正論理出力回路３２から出力される２系照査出力信号Ｓ２を２系端末装置２のバッファ３４に２系設定入力信号１として入力する。スイッチ５１の動作接点は１系端末装置２のインバータ２３から出力する負論理の２系照査出力信号Ｓ２／を１系端末装置２のバッファ２４に１系設定入力信号１として入力する。第２の切替手段５０に有するスイッチ５２の復旧接点は２系照査出力信号Ｓ１を２系端末装置３のバッファ３５に２系設定入力信号２として入力する。スイッチ５２の動作接点は１系端末装置２のインバータ２３から出力する負論理の２系照査出力信号Ｓ１／を１系端末装置２のバッファ２５に１系設定入力信号２として入力する。このように第１の切替手段４０に有するスイッチ４１と第２の切替手段５０に有するスイッチ５１は同じように設定され、第１の切替手段４０に有するスイッチ４２と第２の切替手段５０に有するスイッチ５２も同じように設定されている。
【００１０】
前記のように構成した２重系端末装置１で１系端末装置２を立ち上げるときは、図１に示すように、第１の切替手段４０のスイッチ４２と第２の切替手段５０のスイッチ５２を動作状態にする。このようにスイッチ４２とスイッチ５２を動作状態にすると、１系端末装置２のＣＰＵ２１から出力する１系照査信号Ｓ１はスイッチ４１の復旧接点を通りバッファ２４を介してＣＰＵ２１に正論理の１系設定入力信号１として入力し、１系端末装置２のインバータ２３から出力する負論理の１系照査出力信号Ｓ１／は第２の切替手段のスイッチ５２の動作接点を通ってバッファ２５を介してＣＰＵ２１に負論理の１系設定入力信号２として入力する。一方、２系端末装置３のＣＰＵ３１から出力する２系照査信号Ｓ２はスイッチ５１の復旧接点を通りバッファ３４を介してＣＰＵ３１に正論理の２系設定入力信号１として入力し、２系端末装置３のインバータ３３から出力する負論理の２系照査出力信号Ｓ２／は第１の切替手段のスイッチ４２の動作接点を通って２系端末装置３のバッファ３５を介してＣＰＵ３１に負論理の２系設定入力信号２として入力する。１系端末装置２のＣＰＵ２１は１系設定入力信号１として正論理の信号が入力し、１系設定入力信号２として負論理の信号が入力すると正常に選択されたと判断して立ち上がる。一方、２系端末装置３のＣＰＵ３１は２系設定入力信号１として正論理の信号が入力し、２系設定入力信号２として負論理の信号が入力すると選択されていないと判断して待機状態を維持する。
【００１１】
また、２系端末装置３を立ち上げるときは、図２に示すように、第１の切替手段４０のスイッチ４１と第２の切替手段５０のスイッチ５１を動作状態にする。このようにスイッチ４１とスイッチ５１を動作状態にすると、１系端末装置２のＣＰＵ２１から出力する１系照査信号Ｓ１はスイッチ４２の復旧接点を通りバッファ２５を介してＣＰＵ２１に正論理の１系設定入力信号２として入力し、１系端末装置２のインバータ２３から出力する負論理の１系照査出力信号Ｓ１／は第２の切替手段のスイッチ５１の動作接点を通ってバッファ２４を介してＣＰＵ２１に負論理の１系設定入力信号１として入力する。一方、２系端末装置３のＣＰＵ３１から出力する２系照査信号Ｓ２はスイッチ５２の復旧接点を通りバッファ３５を介してＣＰＵ３１に正論理の２系設定入力信号１として入力し、２系端末装置３のインバータ３３から出力する負論理の２系照査出力信号Ｓ２／は第１の切替手段のスイッチ４１の動作接点を通って２系端末装置３のバッファ３４を介してＣＰＵ３１に負論理の２系設定入力信号２として入力する。１系端末装置２のＣＰＵ２１は１系設定入力信号１として負論理の信号が入力し、１系設定入力信号２として正論理の信号が入力すると選択されていない判断して待機状態を維持する。一方、２系端末装置３のＣＰＵ３１は２系設定入力信号１として負論理の信号が入力し、２系設定入力信号２として正論理の信号が入力すると正常に選択されたと判断して立ち上がる。
【００１２】
また、第１の切替手段４０のスイッチ４１，４２と第２の切替手段５０のスイッチ５１，５２を正常に設定しない場合、例えば図３に示すように、第２の切替手段５０のスイッチ５２だけを動作状態に設定した場合、１系端末装置２のＣＰＵ２１から出力する正論理の１系照査出力信号Ｓ１はスイッチ４１の復旧接点を通りバッファ２４を介してＣＰＵ２１に正論理の１系設定入力信号１として入力し、２系端末装置３のＣＰＵ３１から出力する正論理の２系照査出力信号Ｓ２はスイッチ５１の復旧接点を通りバッファ３４を介してＣＰＵ３１に正論理の２系設定入力信号１として入力するが、ＣＰＵ２１には１系設定入力信号２は入力せず、ＣＰＵ３１にも２系設定入力信号２は入力せず、ＣＰＵ２１とＣＰＵ３１は設定異常の判断して表示装置（不図示）に設定異常信号を送り、その旨を表示させる。
また、例えば図４に示すように、第１の切替手段４０のスイッチ４１だけを動作状態に設定した場合、１系端末装置２のＣＰＵ２１には正論理の１系設定入力信号２だけが入力し、２系端末装置３のＣＰＵ３１には正論理の２系設定入力信号２だけが入力してＣＰＵ２１，３１は設定異常と判断する。さらに、例えば図５に示すように、第１の切替手段４０のスイッチ４２と第２の切替手段５０のスイッチ５１を動作状態にすると、ＣＰＵ２１には１系設定入力信号のいずれも入力せず、ＣＰＵ３１にも２系設定入力信号のいずれも入力せずに待機状態を維持する。
【００１３】
このようにして１系端末装置２のＣＰＵ２１と２系端末装置３のＣＰＵ３１のいずれかを誤動作なしに立ち上げることができるとともに、第１の切替手段４０と第２の切替手段５０の設定間違いがあったときに設定異常と信号判定して安全側に制御することができる。
【図面の簡単な説明】
【００１４】
【図１】この発明の２重系端末装置の構成を示すブロック図である。
【図２】２系端末装置を立ち上げるときの端末選択部の設定状態を示すブロック図である。
【図３】端末選択部の異常設定状態を示すブロック図である。
【図４】端末選択部の第２の異常設定状態を示すブロック図である。
【図５】端末選択部の第３の異常設定状態を示すブロック図である。
【符号の説明】
【００１５】
１；２重系端末装置、２；１系端末装置、３；２系端末装置、４；端末選択部、
２１，３１；ＣＰＵ、２２，３２；正論理出力回路、２３，３３；インバータ，
２４，３４；バッファ、２５，３５；バッファ、４０；第１の切替手段、
４１，４２；スイッチ、５０；第２の切替手段、５１，５２；スイッチ。
【図１】
2008213798.tif 000003
【図２】
2008213798.tif 000004
【図３】
2008213798.tif 000005
【図４】
2008213798.tif 000006
【図５】
2008213798.tif 000007